(57)【要約】【課題】  本発明は地上デジタルＴＶ放送でも、アナログＴＶ放送と同様に時間をかけず容易に番組選択又は番組予約を行うことができるサイマル放送受信装置を提供することを目的とする。【解決手段】  この発明は、デジタル放送を受信するためのデジタル放送受信部と、アナログ放送の番組表を取得するためのアナログ放送番組表取得部と、デジタル放送チャンネルとアナログ放送チャンネルのチャンネル対応を記憶するチャンネル対応記憶部と、このアナログ放送番組表取得部が取得したアナログ放送番組表とチャンネル対応記憶部の対応チャンネルとから、アナログ放送番組表をデジタル放送の対応番組表に変換する番組変換部とを備える。【選択図】      図１
2007251814.tif 000002
【特許請求の範囲】
【請求項１】
デジタル放送を受信するためのデジタル放送受信部と、
アナログ放送の番組表を取得するためのアナログ放送番組表取得部と、
デジタル放送チャンネルとアナログ放送チャンネルのチャンネル対応を記憶するチャンネル対応記憶部と、
前記アナログ放送番組表取得部が取得したアナログ放送番組表と前記チャンネル対応記憶部の対応チャンネルとから、アナログ放送番組表をデジタル放送の対応番組表に変換する番組変換部とを具備したことを特徴とする放送受信装置。
【請求項２】
前記番組変換部が変換したデジタル放送の対応番組表を記憶するための番組情報記憶部を具備したことを特徴とする請求項１記載の放送受信装置。
【請求項３】
前記番組変換部で変換されたデジタル放送対応番組表から選択されたデジタル放送のチャンネルの放送を表示する表示部を具備したことを特徴とする請求項１記載の放送受信装置。
【請求項４】
前記デジタル放送受信部で受信したデジタル放送から該当デジタル放送チャンネルの番組情報を抽出するデジタル番組情報抽出部と、
前記チャンネル対応記憶部に記憶されたチャンネル対応と前記番組変換部で変換されたデジタル放送対応番組表から、前記アナログ放送番組表取得部が取得した番組情報と前記デジタル番組情報抽出部が取得した該当チャンネルのデジタル番組情報とを比較して、前記番組情報記憶部に番組情報を更新して蓄積するかどうか決定する対応番組決定部とを具備したことを特徴とする請求項２記載の放送受信装置。
【請求項５】
前記番組変換部は、アナログ放送番組表の終了時刻にデジタル放送の圧縮に必要な遅延分を加算することを特徴とする請求項１記載の放送受信装置。
【請求項６】
前記アナログ放送番組表に基づいて番組ナビゲーション画面を作成する番組ナビゲーション部を具備し、
前記番組ナビゲーション部で作成された番組ナビゲーション画面において、視聴する番組放送を指定したときに、前記番組情報記憶部のデジタル放送の対応番組表に基づき、当該放送に対応するチャンネルにデジタル放送受信部を切り替えることを特徴とする請求項２乃至請求項４に記載の放送受信装置。
【請求項７】
アナログ放送を受信するためのアナログ放送受信部を具備し、
前記番組ナビゲーション部で作成された番組ナビゲーション画面において、視聴する番組放送を指定したときに、前記番組情報記憶部のデジタル放送の対応番組表に基づき、当該放送に対応するチャンネルにアナログ放送受信部またはデジタル放送受信部を切り替えることを特徴とする請求項６記載の放送受信装置。
【請求項８】
アナログ放送番組に関する番組推奨情報を取得するための推奨情報取得部と具備し、
前記番組ナビゲーション部は前記推奨情報取得部が取得した推奨情報に基づいて番組ナビゲーション画面を作成することを特徴とする請求項６または請求項７に記載の放送受信装置。
【請求項９】
番組を検索するための検索情報により前記番組情報記憶部で記憶している番組情報から検索する検索部を具備し、
前記検索部により検索された番組から、前記アナログ放送受信部または前記デジタル放送受信部を切り替えることを特徴とする請求項６または請求項７に記載の放送受信装置。
【請求項１０】
前記番組情報記憶部に記憶された番組情報をもと、指定した番組に関わる静止画像を検索する静止画検索部と、
前記静止画検索部で検索された静止画像を記憶する静止画像記憶部を具備し、
前記番組ナビゲーション部は、前記番組情報の該当番組に前記静止画像蓄積部から該当する静止画像を合成することで番組ナビゲーション画面を作成することを特徴とする請求項６または請求項７記載の放送受信装置。
【請求項１１】
前記アナログ放送受信部で受信されたアナログ放送映像から静止画像を抽出する静止画像抽出部を具備し、
前記番組ナビゲーション部は前記番組情報記憶部の番組情報の該当番組に前記静止画像抽出部で抽出した静止画像を合成することで番組ナビゲーション画面を作成することを特徴とする請求項７記載の放送受信装置。
【請求項１２】
デジタル放送受信部によりデジタル放送を受信する受信ステップと、
アナログ放送番組表取得部によりアナログ放送の番組表を取得する番組表取得ステップと、
前記番組表取得ステップで取得したアナログ放送番組表と、デジタル放送チャンネルとアナログ放送チャンネルの対応を記憶するチャンネル対応記憶部の対応チャンネルとから、アナログ放送番組表をデジタル放送の対応番組表に変換する番組変換ステップとを含むことを特徴とする放送受信方法。
【発明の詳細な説明】
【技術分野】
【０００１】
地上デジタルＴＶ放送とアナログＴＶ放送とを受信して視聴をする受信装置に関する。
【背景技術】
【０００２】
２０１１年のアナログ停波に向け、デジタルとアナログの両方を受信（サイマル放送）するチューナを搭載した受信機や、さらには各種ＤＶＤ（Digital  Versatile Disc）メディア再生機能を備えたＡＶ−ＰＣあるいはＤＶＤ、ＨＤＤ（Hard Disk Drive）録画再生機が市場に普及している。
【０００３】
一方、アナログＴＶ放送に関しては、ＤＶＤ／ＨＤＤ録画再生機が普及し、２週間先までの電子番組表ＥＰＧ（Electronic Program Guide）をインターネット経由で取得し、それに基づいた録画予約などが可能となっている。つまり、新聞社などが各ＴＶ局より放送予定番組のＥＰＧを集め、それを利用契約済みのポータルサイトなどがインターネット経由で配信している。この方式により、例えば、関東圏では６つのチャンネルのアナログＴＶ放送に関して、２週間分のＥＰＧを取得し、録画をすることが可能となっている。
【０００４】
これに対し、地上デジタルＴＶ放送では、チャンネル数が膨大であること、まだ受信可能地域が全国的でないことなどの事由により、アナログＴＶ放送のように、ＥＰＧを事前に集め、配信するようなサービスは立ち上がっていない。また、ＥＰＧのデータは放送波と一緒に送られて来るため、受信装置側では、チャンネル単位にしかＥＰＧを取得できない（例えば、特許文献１を参照）。つまり、全チャンネルのＥＰＧ情報を取得するために、事前にすべてのチャンネルを切り替えつつ、そのチャンネルに関するＥＰＧデータ（２週間分ぐらい先）を獲得せねばならない。１チャンネル分の取得に時間かかり、１チャンネル当りの取得時間が例えば６分とすると、全チャンネル取得には、実に２時間以上がかかる。
【０００５】
地上デジタルＴＶ放送では、スポーツ番組延長などは、数分遅れで追随し、そのＥＰＧデータが同一チャンネルから取得できるという点では、便利であるが、現在のアナログＴＶ放送のように、事前に全チャンネルのＥＰＧ情報を取得し、録画予約を行いたいなどの場合には、不便である。
【０００６】
ただし、アナログＴＶ放送とデジタルＴＶ放送とのＥＰＧは完全に同じではなく、アナログＴＶ放送ではタイトルとサブタイトルに分かれているタイトルが、デジタルＴＶ放送では、タイトル４０文字に統合されているという違いがある。同様のことは、視聴したい番組を選択するときにも、検索したいとき、あるいはおすすめ番組を得たいときなど、事前に番組情報を得るには、全チャンネルに一度チューナを切り替え、ＥＰＧ情報を取得せねばならない。特に、全チャンネルを切り替えてＥＰＧ情報を取得するような処理は、バックグランドで行っておきたい処理である。しかし、ＡＶ−ＰＣでは専用機器でないために、ＴＶ再生を行っていないときには、非常にＣＰＵパワーが必要な処理を行っている可能性がある。そのような重要でＣＰＵパワーが必要な処理が稼動しているときには、むやみに地デジでの全チャンネルを切り替え、ＥＰＧ情報を取得するような処理さえも行えない可能性がある。
【０００７】
ところで、アナログＴＶでは受信した映像をそのまま録画し、動画から切り出した静止画を動画内容の示したサムネールとして利用することができる。一方、デジタルＴＶ放送では制限があり、動画から静止画を切り出すことも規制対象となっている。
【０００８】
しかし、デジタルとアナログの両方のチューナを搭載している機器では、アナログでは、サムネールが作成できるのに、デジタルではサムネールが作成できないという、視聴者にとっては、不整合のあるインタフェースとならざるをえない。
【特許文献１】特開２００４−１７２７８５公報
【発明の開示】
【発明が解決しようとする課題】
【０００９】
地上アナログＴＶ放送では、２週間分のＥＰＧが集められ、番組情報が重畳された放送信号やインターネットサーバーから利用できるようになっている。これに対し、地上デジタルＴＶ放送では全チャンネルのＥＰＧを取得するのに、チャンネルを切り替え、チャンネル毎にＥＰＧを取得せねばならず、番組取得に時間がかかる。このため、アナログＴＶ放送で行っていた番組の予約などがデジタル放送ではできなくなっていた。
【００１０】
このため、本発明は上記事情を考慮してなされたもので、地上デジタルＴＶ放送でも、アナログＴＶ放送と同様に時間をかけず容易に番組選択又は番組予約を行うことができるサイマル放送受信装置を提供することを目的とする。
【課題を解決するための手段】
【００１１】
この発明の放送受信装置は、デジタル放送を受信するためのデジタル放送受信部と、アナログ放送の番組表を取得するためのアナログ放送番組表取得部と、デジタル放送チャンネルとアナログ放送チャンネルのチャンネル対応を記憶するチャンネル対応記憶部と、前記アナログ放送番組表取得部が取得したアナログ放送番組表と前記チャンネル対応記憶部の対応チャンネルとから、アナログ放送番組表をデジタル放送の対応番組表に変換する番組変換部とを具備したことを特徴とする。
【発明の効果】
【００１２】
地上デジタルＴＶ放送でも、アナログＴＶ放送と同様に時間をかけず容易に番組選択又は番組予約を行うことができる。
【発明を実施するための最良の形態】
【００１３】
以下、この発明の実施の形態について、図面を参照して詳細に説明する。
【実施例１】
【００１４】
図１は実施の形態の概略構成図である。チャンネル選択などを行うための、例えばリモコン、あるいはマウスなどからなる入力部１０１と、デジタルＴＶ放送を受信するためのデジタル放送受信部１０２と、受信したデジタル放送からいわゆるＥＰＧ(電子番組表)と呼ばれる番組情報を抽出するためのデジタル番組情報抽出部１０３と、受信したデジタル放送の映像部分を復号するためのデジタル映像復号部１０４と、受信したデジタル放送の音声部分を復号するデジタル音声復号部１１０と、アナログ番組情報にデジタル番組情報抽出部１０３で抽出したデジタル番組情報を合成して表示するための表示合成部１０８と、デジタル映像復号部１０４が復号した映像やあるいは表示合成部１０８が合成した映像を表示するための表示部１０９と、デジタル音声復号部１１０が復号した音声を出力するための音声出力部１１１と、インターネットにアクセスするためのインターネット接続部１０５と、インターネット接続部１０５によりアナログＴＶ放送の番組表を取得するためのアナログＴＶ番組表取得部１０６と、同一番組を放送する地上デジタルＴＶ放送チャンネルとアナログＴＶ放送チャンネルの対応を蓄積するチャンネル対応蓄積部１０７と、アナログＴＶ番組表取得部１０６が取得した番組表とチャンネル対応蓄積部１０７の対応チャンネルをもとに、アナログＴＶ番組表を地デジＴＶに対応番組表に変換する番組変換部１１２と、アナログＴＶ番組表取得部１０６が取得した番組表やデジタル番組情報抽出部１０３が取得したデジタル番組情報や番組変換部１１２が変換した対応番組表などのＴＶ番組情報を格納するためのＴＶ情報蓄積部１１３と、入力部１０１、デジタル放送受信部１０２、デジタル映像復号部１０４、デジタル番組情報抽出部１０３、ＴＶ情報蓄積部１１３、番組変換部１１２、アナログＴＶ番組表取得部１０６、チャンネル対応蓄積部１０７、表示合成部１０８、インターネット接続部１０５、デジタル音声復号部１１０、音声出力部１１１、及び表示部１０９間の情報管理を行う情報管理部１００とから構成されている。
【００１５】
チャンネル対応蓄積部１０７が蓄積している対応チャンネルの例を図２に示す。Ｃｈａｎｎｅｌ１はアナログではＡ０４４００１で、デジタルではＧ０４４０１１、Ｃｈａｎｎｅｌ３はアナログではＡ０４４００３で、デジタルではそれに対応するのがＧ０４４０３１，Ｇ０４４０３２，Ｇ０４４０３３の3チャンネルがあることが示されている。
【００１６】
Ａはアナログ、Ｇはデジタル、０４４は地域（例えば、東京２３区）を示し、その後の３桁の数字がチャンネル番号を表している。アナログのＣｈａｎｎｅｌ１は東京２３区ではチャンネル番号１なので００１となっている。同様にデジタルのＣｈａｎｎｅｌ１は０１１となっている。Ｃｈａｎｎｅｌ３では、ハイビジョン放送(ＨＤＴＶ：High Definition Television)１チャンネル分に従来の標準画質（ＳＤＴＶ: Standard Definition Television）３チャンネル分が相当しているので、０３１、０３２、０３３の３チャンネル分が割り当てられている。
【００１７】
また、本実施の形態により推定されたデジタルＴＶ番組である場合には、Ｇの代りにＦを用いている。さらに、Ｃｈａｎｎｅｌ３のようにアナログ１チャンネルに対し、デジタル３チャンネルがある場合でも、アナログ１チャンネル分に対してしか推定できないので、Ｃｈａｎｎｅｌ３に対しては、推定チャンネルはＦ０４４０２＊と末尾の１、２、３の代わりに＊を割り当てている。これは、当面は、対応する複数チャンネルのうち、最初のチャンネルＦ０４４０３１を割り当てることを想定している。ただし、図２でのチャンネル対応で用いているコード体系は例であって、これ以外のコード体系により、対応つけることも可能である。
【００１８】
図３はアナログＴＶ番組表取得部１０６が取得したアナログＴＶ番組表の例である。図４、図５、図６はアナログＴＶ番組提供サービス等からＴＶ、ハードディスク付きＤＶＤレコーダ、ＡＶＰＣなどの機器が取得するアナログＴＶ番組実データ例を示しており、図３は、このアナログＴＶ番組実データを見易く画面で表示した例を示すものである。ここでは、アナログＴＶ番組情報はインターネット接続部１０５を介してインターネットサービスプロバイダ（ＩＳＰ）等から取得する例を示しているが、これに限らず、アナログＴＶ受信部で受信したアナログ放送に重畳された番組情報をアナログＴＶ番組表取得部１０６で取得する取得手段であってもよい。
【００１９】
図４の
<?xml version="1.0" encoding="UTF-8" ?>
は、以下XML形式で書かれていることを示している。
<ＥＰＧdata>
以下がＥＰＧデータであることを示しており、図６の最後の
</ＥＰＧdata>
がＥＰＧデータが終わる事を示している。
<contents cnt="3802">
は、取得したコンテンツのＩＤを示している。
<dt dy="2005/10/08" />
は、データ２００５年１０月８日の分であることを示している。
<ch cd="A044001" />
は、チャンネルコードがＡ０４４００１、つまりＣａｎｎｅｌ１のアナログであることを示す。
<program>
は、ＴＶ番組のデータが以下に続くことを示しており、その終了は
</program>である。
<dt>2005/10/08</dt> は日付。
<ch>A044001</ch> はチャンネルコード。
<bc>Ｃｈａｎｎｅｌ１</bc> はチャンネル名称。
<st>13:00</st> は番組開始時刻。
<et>13:15</et> は番組終了時刻。
<gb>00</gb> はジャンルを示す。
<tn>ニュース</tn> は番組タイトル。
<cn>[ニュース]▽[天気]▽TTT放送株取得▽特集・人型ロボット開発</cn>は番組の中身を示す。以下、<program>と</program>に挟まれた番組が続いている。
【００２０】
図４に含まれる他のコードについては、本発明の説明に関連しないものなので、ここでは、説明を省略する。
次に図７のチャンネル対応フローに従って、デジタル番組情報抽出部１０３と番組変換部１１２とが図４のようなアナログＴＶ番組からどのようにデジタルＴＶ番組に変換するかを説明する。
【００２１】
まず、インターネット接続部１０５を介して、図４に示したようなアナログＴＶ番組実データを取得する（ステップＳ５０１）。取得の回数は例えば、１日１回程度で通常アナログ番組データ提供されている２週間先までとする。ただし、取得回数などはあくまでも一例に過ぎず、例えば、毎時取得するとか、あるいは、予約録画により番組を受信しているとき、あるいはいないときなど適当に設定することができる。
【００２２】
次に、アナログＴＶ番組表取得部１０６で取得した図４のようなアナログＴＶ番組実データを解析し、<ch></ch>のタグで示されるチャンネルコードを抽出する（ステップＳ５０２）。実際に図４のようなアナログＴＶ番組実データは、ＴＶ情報蓄積部１１３に図８の第１行から第６行のようなアナログＴＶ番組情報として蓄積されている。
【００２３】
図８にＴＶ情報蓄積部１１３に蓄積されたアナログＴＶ番組情報の詳細を示す。図８では、チャンネル、チャンネル名称、日付、開始、終了、タイトル、出演者と内容及び詳細に分けられてＴＶ情報蓄積部１１３に蓄積されている。番組によって出演者、内容及び詳細の情報がない部分は、ＮＵＬＬと表記され情報がないことが明示的になっている。
【００２４】
アナログＴＶ番組表取得部１０６で取得したチャンネル、例えば、Ａ０４４００１に対応するデジタルＴＶチャンネルが複数あるかどうかを、チャンネル対応蓄積部１０７で蓄積している図２のような対応表をもとに確認する(ステップＳ５０３) 。
【００２５】
ここで、アナログチャンネルに対応するデジタルチャンネルが一つの場合は、チャンネル対応蓄積部１０７で蓄積している対応表をもとに、アナログチャンネルを推定デジタルチャンネルに変換する（ステップＳ５０４）。
【００２６】
一方、アナログチャンネルに複数のデジタルチャンネルが対応する場合には、チャンネル対応蓄積部１０７で蓄積している対応表から、例えば、Ａ０４４００３に対してＦ０４４０３＊が割り当てられるが、これはステップＳ５０５において、先頭のＦ０４４０３１が割り当てられる。この割り当て方式は、暫定的なものであり、番組構成の変更などによりサイマル放送の割り当てが変更になれば、それに対応できるようになっていることを示すものである。
【００２７】
ステップＳ５０４とＳ５０５において、アナログＴＶチャンネルとデジタルＴＶチャンネルの対応がついたので、図８のような形式で蓄積されているＴＶ情報蓄積部１１３よりアナログＴＶ番組情報を読み出し、アナログチャンネルコードを推定デジタルチャンネルコードに変換する（ステップＳ５０６）。
【００２８】
アナログチャンネルコードを推定デジタルチャンネルコードに変換した番組情報がＴＶ情報蓄積部１１３に蓄積されていない場合（ステップＳ５０７）は、アナログチャンネルコードを推定デジタルチャンネルコードに変換した番組情報をＴＶ情報蓄積部１１３に新たに蓄積する（ステップＳ５０８）。一方、既にアナログチャンネルコードを推定デジタルチャンネルコードに変換した番組情報がＴＶ情報蓄積部１１３に蓄積されている場合（ステップＳ５０７）は、番組情報は更新しない。
【００２９】
ＴＶ情報蓄積部１１３に蓄積した番組情報のすべての番組について対処したか確認（ステップＳ５０９）し、対処されていなければ、ステップＳ５０３に戻り、チャンネル対応蓄積部１０７で蓄積している対応表をもとに確認する。これは、すべてのアナログＴＶ番組情報をデジタル番組情報に変換するためのループである。変換が終了したら、ステップＳ５０８で、ＴＶ情報蓄積部１１３に、変換した番組情報を書き込む。その結果、図８に示すようなアナログＴＶ番組情報のみであった、ＴＶ情報蓄積部１１３の内容が、図９に示すように、推定デジタル番組情報も含んだものになる。図９の上部にあるアナログ番組と、下部にある推定デジタル番組とでは、チャンネルコードが異なるもので、蓄積している番組には違いがない。
【００３０】
図９に示される番組情報をもとに、表示合成部１０８で番組情報を合成した番組表を表示部１０９に表示すると、図１０に示すようになる。前述した図３のアナログ番組表とほぼ同一であるが、推定したデジタルＴＶがあることを示す黒字に白抜きの「デ」という文字が付加されている。視聴者はこの推定デジタル番組表から選択することで、簡単にデジタル番組の録画予約をしたり、視聴したりすることができる。視聴時あるいは録画予約時には、情報管理部１００は、チャンネルコードの先頭のＦをＧに変換して、デジタルＴＶ番組の受信をデジタルＴＶ受信部に受信を指示する。
【００３１】
デジタル放送視聴時には、デジタル放送受信部で受信したデジタル放送からデジタル映像復号部１０４で映像部分を復号して表示部１０９で表示し、受信したデジタル放送からデジタル音声復号部１１０で音声部分を復号して音声出力部１１１で音声を出力する。これと同時に、デジタルＴＶ放送では映像及び音声情報とともに、番組情報が送られてくる。例えば、図１１がＣｈａｎｎｅｌ１のデジタル番組実データ、図１２がＣｈａｎｎｅｌ３のデジタル番組実データの情報である。これらは、受信しているのと同じチャンネルの番組情報しか受信できない。例えば、図１０にて、現在放送中のデジタルＴＶのＣｈａｎｎｅｌ３の「ふしぎ探検」を選択して視聴したとすると、図１２のＣｈａｎｎｅｌ３分しか受信できない。
【００３２】
デジタル放送受信部１０２で受信するデジタル放送からデジタル番組抽出部１０５で抽出した番組情報はＴＶ情報蓄積部１１３に蓄積される。
例えば、図１２に示すデジタル番組実データにおいて
[ 6]EventID[3ae7]は、受信機で扱うデジタルＴＶ放送の認識ＩＤを示す。
Event Share=ServiceID[431]EventID[3ae7]
Event Share=ServiceID[431]EventID[3ae7]
は先頭の認識ＩＤで示される番組とチャンネルとの対応を示す。ここでは、この番組は４３１、つまりＣｈａｎｎｅｌ３デジタルの最初のチャンネルであることを示す。これは、図２のチャンネルコードでは、デジタルなのでＧとエリアコードが付加され、Ｇ０４４０２１と変換される。
【００３３】
アナログ番組表では、番組の日付と開始時刻と終了時刻が示されていたが、
TableID[50]sec_num[60]Ver[19]Start[2005/10/08-13:00]Duration[0:45:0]
のように、デジタル番組表では日付と開始時刻と継続時間が示されている。継続時間は秒まで示されている。ここでは、アナログ番組表に倣って、開始時刻と終了時刻に変換して扱う。ProgName[ふしぎ探検]ProgInfo[empty]は番組の名称が「ふしぎ探検」であり、番組詳細情報はempty、つまりからである。
【００３４】
これらは変換して、図９に示すようなＴＶ情報蓄積部１１３の番組情報に追加されて、蓄積される。このとき、同じチャンネルに相当するＦ０４４０３１で、同じ日付と開始時刻を持つものは、削除され、代わりに受信したデジタル番組情報が書き込まれる。その結果は、図１３に示すような番組情報になる。
【００３５】
図１３では、Ｃｈａｎｎｅｌ３のデジタル番組の部分は、推定デジタル番組チャンネル（Ｆ０４４０３１）のかわりに、デジタル番組チャンネル（Ｇ０４４０３１）になっていることがわかる。一方、受信チャンネルでない、Ｃｈａｎｎｅｌ１についてはデジタル放送から番組情報が受信できていないので、Ｆ０４４０１１の推定デジタルチャンネルのままである。
【００３６】
更に、番組変換部１１２にアナログＴＶ番組表の終了時刻にデジタル放送の圧縮に必要な遅延分を加算する遅延加算部を備えてもよく、こうすることで遅延なくデジタル放送を視聴することができる。
【００３７】
以上の構成から、デジタルＴＶ受信をしていないチャンネルについても、アナログ番組表から推定した番組表により、簡単に番組選択ができる。
【実施例２】
【００３８】
前述した実施例１の他の実施の形態について説明する。図１に示した概略構成では、チャンネル対応蓄積部１０７に蓄積されたアナログＴＶとデジタルＴＶとのチャンネル対応により、番組変換を行っている。現在の多くのデジタル放送では、ほぼ同一の番組がアナログＴＶとデジタルＴＶとで対応した放送されているのでほとんどの番組で問題ない。しかし、ごく一部の番組ではアナログＴＶとデジタルＴＶとで異なる放送を行っているところもある。このような番組編成に対して対処した概略構成を図１４に示す。
【００３９】
図１４は、図１に示した概略構成の他に、アナログＴＶ番組とデジタルＴＶ番組との対応は、デジタル番組情報抽出部１０３が抽出したデジタル番組情報とチャンネル対応蓄積部１０７に蓄積された対応チャンネルをもとに、アナログＴＶ番組表取得部１０６が取得した番組情報とデジタル番組情報抽出部１０３が取得した該当チャンネルのデジタル番組情報とを比較し、ＴＶ情報蓄積部１１３に番組情報を更新して蓄積するかどうか決定する対応番組決定部１１４が追加した構成になっている。
【００４０】
ここでは、対応番組決定部１１４は、デジタル番組情報抽出部１０３が取得したデジタル番組情報のうち番組開始時間、終了時間、及び番組の名称がアナログＴＶ番組表取得部１０６が取得した該当チャンネルの番組情報の番組開始時間、終了時間、及び番組の名称と同一の場合には、ＴＶ情報蓄積部１１３に番組情報を更新して蓄積することを決定し、一致しない場合には蓄積しない。
【００４１】
以上の構成から、アナログＴＶとデジタルＴＶとで異なる放送を行っている番組編成においても、デジタルＴＶ放送を簡単に番組選択ができる。
【実施例３】
【００４２】
図１に示す実施例１の概略構成では、受信できる番組はデジタル放送のみであるが、この実施例の構成は図１５に示すように、更に番組ナビゲーション部１１６とアナログ放送受信部１１５を具備し、デジタル放送とアナログ放送の双方を受信できる構成となっている。
【００４３】
このような構成において、番組ナビゲーション部１１６はアナログＴＶ番組表取得部１０６から取得したアナログＴＶ放送番組表に基づいた番組ナビゲーション画面生成し、このナビゲーション画面を表示部１０９に表示し、入力部１０１はこの番組ナビゲーション部１１６で番組視聴を指定する際に表示されたときに地上デジタルＴＶ放送視聴を指定し、この入力部１０１により地上デジタルＴＶ放送視聴が指定されたときに、情報管理部１００はＴＶ情報蓄積部１１３が蓄積している番組情報に基づき当該のデジタルＴＶ放送チャンネルが指定され、入力部１０１により指定されたチャンネルにデジタル放送受信部１０２を切り替える。
【００４４】
番組ナビゲーション部１１６は、例えばアナログＴＶ番組表の表示を図１６のように表示し、入力部１０１からアナログＴＶ番組か、デジタルＴＶ番組のどちらを受信するかを選択指示することで、アナログＴＶ番組表から推定されたデジタル番組を選択できるようにする。
【００４５】
このため、本実施例によれば、ユーザは図１６のようなナビゲーション画面で、リモコンあるいはマウスなどの操作で、カーソルを移動し、視聴したい番組にあわせる。図１６の例では、Ｃｈａｎｎｅｌ３の「ふしぎ探検」のところが、例えば網掛け表示になっており、ここにカーソルがあることが示されている。
【００４６】
この状態で、入力部１０１の例えば、リモコンのボタンで「アナログＴＶ」ボタンを押すとアナログＴＶが、「デジタルＴＶ」ボタンを押すとデジタルＴＶが、図９に示したようなＴＶ情報蓄積部１１３の内容を参照して、対応するチャンネルを割り出し、それぞれの受信部へ、チャンネル切り替えを指示し、チャンネルの受信が可能となる。
【００４７】
ここでは、デジタル放送視聴の切り替えについて説明したが、デジタル放送視聴に限らず指定したデジタル放送の番組を予約して視聴することや、予約して録画することにも適用できる。
【００４８】
以上の構成から、従来アナログ放送で視聴していた番組を選択するのと同様の操作で、入力部１０１から操作を行い、容易に高精細のデジタルＴＶ放送を視聴が可能となる。
【実施例４】
【００４９】
この実施例の構成は図１７に示すように、図１５に示す構成から、更に推奨情報取得部１１７を具備した構成になっている。
このような構成において、推奨情報取得部１１７はインターネット接続部１０５からアナログＴＶ放送番組に関する番組推奨情報を取得し、この推奨情報取得部が取得した推奨情報をもとに推奨情報を付加した番組ナビゲーション画面を番組ナビゲーション部１１６で作成して表示部１０９で表示し、このナビゲーション画面から入力部１０１でデジタルＴＶ放送を指定されると、ＴＶ情報蓄積部１１３が蓄積している番組情報に基づき当該のデジタルＴＶ放送チャンネルにデジタル放送受信部１０２を切り替える。
【００５０】
番組ナビゲーション部１１６は、例えば推奨情報を付加したアナログＴＶ番組表の表示を図１８のように表示し、入力部１０１から推奨情報を見ながら選択指示することで、推奨情報を付加したアナログＴＶ番組表から推定されたデジタル番組を選択できるようにする。
【００５１】
このため、本実施例によれば、ユーザは図１８のようなナビゲーション画面で、白抜きの推奨情報が付加されて表示されている。
この状態で、入力部１０１の例えば、リモコンのボタンで「アナログＴＶ」ボタンを押すとアナログＴＶが、「デジタルＴＶ」ボタンを押すとデジタルＴＶが、図９に示したようなＴＶ情報蓄積部１１３の内容を参照して、対応するチャンネルを割り出し、それぞれの受信部へ、チャンネル切り替えを指示し、チャンネルの受信が可能となる。
【００５２】
ここでは、デジタル放送視聴の切り替えについて説明したが、デジタル放送視聴に限らず指定したデジタル放送の番組を予約して視聴することや、予約して録画することにも適用できる。
【００５３】
以上の構成から、推奨情報を見ながら従来アナログ放送で視聴していた番組を選択するのと同様の操作で、入力部１０１から操作を行い、容易に所望の高精細のデジタルＴＶ放送を視聴が可能となる。
【実施例５】
【００５４】
この実施例の構成は図１９に示すように、図１５に示す構成から、更に検索部１１７を具備した構成になっている。
このような構成において、入力部１０１で入力された番組名や出演者名等の検索情報によりＴＶ情報蓄積部１１３が蓄積している番組情報から検索し、検索された番組情報を表示画面に表示する画面を番組ナビゲーション部１１６で作成し表示部１０９に表示する。表示部１０９で表示された検索結果の番組ナビゲーション画面で、入力部１０１によりデジタルＴＶ放送が指定されると、ＴＶ情報蓄積部１１３が蓄積している番組情報に基づき当該のデジタルＴＶ放送チャンネルにデジタル放送受信部１０２を切り替える。
【００５５】
番組ナビゲーション部１１６は、例えば検索結果の番組情報を表示し、入力部１０１から検索結果から選択指示することで、指定された番組の推定されたデジタル番組を選択できるようにする。デジタル放送視聴に限らず指定したデジタル放送の番組を予約して視聴することや、予約して録画することにも適用できる。
【００５６】
以上の構成から、検索結果から指定した番組を容易に所望のデジタルＴＶ放送での視聴が可能となる。
【実施例６】
【００５７】
この実施例の構成は図２０に示すように、図１５に示す構成から、更に静止画検索部１１９、及び静止画蓄積部１２０を具備した構成になっている。
このような構成において、デジタル放送受信部１０２で受信したデジタル放送信号のうちデジタル映像復号部１０４により映像信号を表示部１０９に表示可能な信号に復号し、デジタル音声復号部１１０に音声信号を音声出力部１１１に出力可能な信号に復号する。番組ナビゲーション部１１６で番組ナビゲーション画面を作成する際に、インターネット接続部１０５を介して、ＴＶ情報蓄積部１０５に蓄積された番組情報をもとに静止画検索部１１９で該当番組に関わる静止画像を検索し、この結果検索された静止画像情報が静止画蓄積部１２０に蓄積される。
【００５８】
更に、番組ナビゲーション部１１６により、番組表情報の該当番組欄に静止画蓄積部１２０から該当する静止画像を合成することで、番組表に静止画像が表示部１０９に表示され、入力部１０１により番組表に合成された静止画像を選択して、当該のデジタルＴＶ放送チャンネルにデジタル放送受信部１０２を切り替える。
【００５９】
これにより、アナログＴＶ放送の場合と変わらず、デジタル放送に対しても該当番組のシーンを表すサムネール（静止画像）を指定することで視聴が可能となる。
【実施例７】
【００６０】
この実施例の構成は図２１に示すように、図２０に示す構成から、更に静止画像抽出部１２１を具備した構成になっている。
このような構成において、デジタル放送受信部１０２で受信したデジタル放送信号のうちデジタル映像復号部１０４により映像信号を表示部１０９に表示可能な信号に復号し、デジタル音声復号部１１０に音声信号を音声出力部１１１に出力可能な信号に復号する。番組ナビゲーション部１１６で番組ナビゲーション画面を作成する際に、ＴＶ情報蓄積部１０５に蓄積された番組情報をもとに、アナログ放送受信部１１５で受信されたアナログ放送映像から静止画像抽出部１２１で抽出し、この抽出された静止画像情報が静止画像蓄積部１２２に蓄積される。
【００６１】
更に、番組ナビゲーション部１１６により、番組表情報の該当番組欄に静止画像蓄積部１２２から該当する静止画像を合成することで、番組表に静止画像が表示部１０９に表示され、入力部１０１により番組表に合成された静止画像を選択して、当該のデジタルＴＶ放送チャンネルにデジタル放送受信部１０２を切り替える。
【００６２】
これにより、アナログＴＶ放送の場合と変わらず、デジタル放送に対しても該当番組のシーンを表すサムネール（静止画像）を指定することで視聴が可能となる。
【図面の簡単な説明】
【００６３】
【図１】実施例１の概略構成図。
【図２】実施例１のチャンネル対応蓄積部に蓄積している対応チャンネルの例。
【図３】実施例１のアナログＴＶ番組表の例。
【図４】実施例１のアナログＴＶ番組実データ例。
【図５】実施例１のアナログＴＶ番組実データ例。
【図６】実施例１のアナログＴＶ番組実データ例。
【図７】実施例１のチャンネル変換処理のフローを示す図。
【図８】実施例１のアナログＴＶ番組情報例。
【図９】実施例１の推定デジタル番組情報を含んだアナログＴＶ番組情報例。
【図１０】実施例１の番組表の表示例。
【図１１】実施例１のデジタル番組実データ例。
【図１２】実施例１のデジタル番組実データ例。
【図１３】実施例１のデジタル番組情報を含んだ番組情報例。
【図１４】実施例２の概略構成図。
【図１５】実施例３の概略構成図。
【図１６】実施例３の番組表の表示例。
【図１７】実施例４の概略構成図。
【図１８】実施例４の番組表の表示例。
【図１９】実施例５の概略構成図。
【図２０】実施例６の概略構成図。
【図２１】実施例７の概略構成図。
【符号の説明】
【００６４】
１００  情報管理部
１０１  入力部
１０２  デジタル放送受信部
１０３  デジタル番組情報抽出部
１０４  デジタル映像復号部
１０５  インターネット接続部
１０６  アナログＴＶ番組表取得部
１０７  チャンネル対応蓄積部
１０８  表示合成部
１０９  表示部
１１０  デジタル音声復号部
１１１  音声出力部
１１２  番組変換部
１１３  ＴＶ情報蓄積部
【図１】
2007251814.tif 000003
【図２】
2007251814.tif 000004
【図３】
2007251814.tif 000005
【図４】
2007251814.tif 000006
【図５】
2007251814.tif 000007
【図６】
2007251814.tif 000008
【図７】
2007251814.tif 000009
【図８】
2007251814.tif 000010
【図９】
2007251814.tif 000011
【図１０】
2007251814.tif 000012
【図１１】
2007251814.tif 000013
【図１２】
2007251814.tif 000014
【図１３】
2007251814.tif 000015
【図１４】
2007251814.tif 000016
【図１５】
2007251814.tif 000017
【図１６】
2007251814.tif 000018
【図１７】
2007251814.tif 000019
【図１８】
2007251814.tif 000020
【図１９】
2007251814.tif 000021
【図２０】
2007251814.tif 000022
【図２１】
2007251814.tif 000023